(57)【要約】【課題】複雑なモデルを用いることなく、低コストで、表示エリアにおける複数の画面に含まれる要素の配置や表示エリアにおける複数の画面の配置を最適化する。【解決手段】運転画面Ｇ１〜Ｇ４を閲覧・操作するオペレータの表示エリアＡＲ内における視線の位置（画面上の座標）を示す情報を視線情報Ｐ（ｘ，ｙ）として収集する（視線情報収集部２）。パターン記憶部５に視線情報Ｐ（ｘ，ｙ）に関するパターンとして複数のパターンを記憶させておく。パターン記憶部５に記憶されている複数のパターンの中から収集された視線情報と類似するパターンを視線パターンとして画面Ｇ１〜Ｇ４毎に選択する（視線パターン選択部３）。選択した画面Ｇ１〜Ｇ４の視線パターンから基本パターンを決定し（基本パターン決定部４１）、運転画面Ｇ１〜Ｇ４の視線パターンが全て基本パターンとなるように、運転画面Ｇ１〜Ｇ４に含まれる要素の配置を変更する（画面再配置処理部４２）。【選択図】  図２
2018077694.tif 000002
【特許請求の範囲】
【請求項１】
１つの表示エリア内に複数の画面を並べて表示する画面表示制御装置において、
前記複数の画面を閲覧・操作するオペレータの、前記表示エリア内における視線の位置を示す情報を視線情報として収集する視線情報収集手段と、
前記視線情報に関する予め定められた複数のパターンを記憶するパターン記憶手段と、
前記パターン記憶手段が記憶している前記複数のパターンの中から、前記視線情報収集手段によって収集された視線情報と類似するパターンを視線パターンとして選択する視線パターン選択手段と、
前記視線パターン選択手段によって選択された視線パターンに基づいて、前記表示エリアにおける前記複数の画面に含まれる要素の配置および前記表示エリアにおける前記複数の画面の配置の少なくとも一方を変更する画面再配置手段と
を備えることを特徴とする画面表示制御装置。
【請求項２】
請求項１に記載された画面表示制御装置において、
前記視線パターン選択手段は、
前記パターン記憶手段が記憶している前記複数のパターンの中から前記視線情報収集手段によって収集された視線情報と類似するパターンを視線パターンとして前記複数の画面毎に選択し、
前記画面再配置手段は、
前記視線パターン選択手段によって選択された前記複数の画面毎の視線パターンの中の１つを基本パターンとして決定し、前記複数の画面毎の視線パターンが全て前記決定された基本パターンとなるように、前記表示エリアにおける前記複数の画面に含まれる要素の配置を変更する
ことを特徴とする画面表示制御装置。
【請求項３】
請求項１に記載された画面表示制御装置において、
前記視線情報収集手段は、
前記表示エリア内における視線の位置とその視線の位置が動いた順番を示す情報を前記視線情報として収集し、
前記視線パターン選択手段は、
前記パターン記憶手段が記憶している前記複数のパターンの中から、前記視線情報収集手段によって収集された視線情報と類似するパターンを視線パターンとして前記複数の画面毎および前記表示エリアの全体について選択し、
前記画面再配置手段は、
前記視線パターン選択手段によって選択された前記複数の画面毎および前記表示エリアの全体の視線パターンの中の１つを基本パターンとして決定し、前記複数の画面毎の視線パターンおよび前記表示エリアの全体の視線パターンが全て前記決定された基本パターンとなるように、前記表示エリアにおける前記複数の画面に含まれる要素の配置および前記表示エリアにおける前記複数の画面の配置を変更する
ことを特徴とする画面表示制御装置。
【請求項４】
請求項１に記載された画面表示制御装置において、
前記視線情報収集手段は、
前記表示エリア内における視線の位置とその視線の位置が動いた順番を示す情報を前記視線情報として収集し、
前記視線パターン選択手段は、
前記パターン記憶手段が記憶している前記複数のパターンの中から、前記視線情報収集手段によって収集された視線情報と類似するパターンを視線パターンとして前記複数の画面毎および前記表示エリアの全体について選択し、
前記画面再配置手段は、
前記視線パターン選択手段によって選択された前記複数の画面毎および前記表示エリアの全体の視線パターンの中の１つを基本パターンとして決定し、前記複数の画面毎の視線パターンおよび前記表示エリアの全体の視線パターンが全て前記決定された基本パターンとなるように、前記表示エリアにおける前記複数の画面に含まれる要素の配置を変更する
ことを特徴とする画面表示制御装置。
【請求項５】
請求項１に記載された画面表示制御装置において、
前記複数の画面を閲覧・操作するオペレータの前記表示エリア内において操作した位置を示す情報を操作情報として収集する操作情報収集手段を備え、
前記視線情報収集手段は、
前記表示エリア内における視線の位置とその視線の位置が動いた順番を示す情報を前記視線情報として収集し、
前記視線パターン選択手段は、
前記パターン記憶手段が記憶している前記複数のパターンの中から、前記視線情報収集手段によって収集された視線情報と類似するパターンを視線パターンとして前記複数の画面毎および前記表示エリアの全体について選択し、
前記画面再配置手段は、
前記視線パターン選択手段によって選択された前記複数の画面毎の視線パターンおよび前記表示エリアの全体の視線パターンと、前記操作情報収集手段によって収集された操作情報とに基づいて、前記表示エリアにおける前記複数の画面の配置、前記表示エリアにおける前記複数の画面に含まれる要素の配置および前記表示エリアにおける前記複数の画面のサイズを変更する
ことを特徴とする画面表示制御装置。
【請求項６】
請求項１に記載された画面表示制御装置において、
前記視線パターン選択手段は、
前記視線情報収集手段によって収集された視線情報と前記パターン記憶手段が記憶している前記複数のパターンとの相関性を計算し、相関性の強いパターンを前記視線パターンとして選択する
ことを特徴とする画面表示制御装置。
【発明の詳細な説明】
【技術分野】
【０００１】
本発明は、１つの表示エリア内に複数の画面を並べて表示する画面表示制御装置に関する。
【背景技術】
【０００２】
従来より、プラントなどでは、中央の監視制御室などにモニタを設け、このモニタに表示される運転画面からプラントの運転を監視したり、プラントの運転を操作したりするようにしている。このような監視制御システムでは、多くの情報を取り扱う必要があるため、１つの表示エリア内に複数の運転画面を並べて表示するような構成とされる。
【０００３】
例えば、図２０に示すように、１つの表示エリアＡＲ内に、運転画面Ｇ１〜Ｇ４（画面１〜４）を並べて表示させるような構成とする。この場合、運転画面Ｇ１〜Ｇ４は、別々のモニタに表示される場合もあるし、１つのモニタにウィンドウ（領域）として並べて表示される場合もある。
【０００４】
オペレータは、このような運転画面から、プラントの運転を監視したり、プラントの運転を操作したりする。この場合、オペレータの作業は、単一の運転画面のみで完結することは少なく、複数の運転画面の閲覧・操作を繰り返すことが多い。
【先行技術文献】
【特許文献】
【０００５】
【特許文献１】特開平９−７３３８４号公報
【発明の概要】
【発明が解決しようとする課題】
【０００６】
しかしながら、このような１つの表示エリア内に複数の画面を並べて表示する画面表示制御装置において、複数の運転画面の閲覧・操作を繰り返す場合、表示エリアにおける複数の画面に含まれる要素（プラントの運転状態を示す各種のシンボルなど）の配置や表示エリアにおける複数の画面の配置が最適化されていないと、オペレータは表示エリア内のあちらこちらを散逸的に閲覧・操作することになり、作業効率が低下する。
【０００７】
また、表示エリアにおける複数の画面に含まれる要素の配置や表示エリアにおける複数の画面の配置を最適化するには、改造すべき画面の抽出、表示エリアにおける複数の画面に含まれる要素の配置の変更、表示エリアにおける複数の画面の配置の変更など、作業が人手に依存する部分が多く、高コストとなる。
【０００８】
なお、特許文献１には、遺伝的アルゴリズムを用いて複数のウインドウの配置を最適化する手法が示されている。しかし、この特許文献１に示された手法では、事前に複雑なモデルを生成する必要があり、運用に難がある。
【０００９】
本発明は、このような課題を解決するためになされたもので、その目的とするところは、複雑なモデルを用いることなく、低コストで、表示エリアにおける複数の画面に含まれる要素の配置や表示エリアにおける複数の画面の配置を最適化することが可能な画面表示制御装置を提供することにある。
【課題を解決するための手段】
【００１０】
このような目的を達成するために本発明は、１つの表示エリア（ＡＲ）内に複数の画面（Ｇ１〜Ｇ４）を並べて表示する画面表示制御装置（１００）において、複数の画面を閲覧・操作するオペレータの、表示エリア内における視線の位置を示す情報を視線情報として収集する視線情報収集手段（２）と、視線情報に関する予め定められた複数のパターンを記憶するパターン記憶手段（５）と、パターン記憶手段が記憶している複数のパターンの中から、視線情報収集手段によって収集された視線情報と類似するパターンを視線パターンとして選択する視線パターン選択手段（３）と、視線パターン選択手段によって選択された視線パターンに基づいて、表示エリアにおける複数の画面に含まれる要素の配置および表示エリアにおける複数の画面の配置の少なくとも一方を変更する画面再配置手段（４）とを備えることを特徴とする。
【００１１】
本発明において、視線情報収集手段は、複数の画面を閲覧・操作するオペレータの表示エリア内における視線の位置を示す情報を視線情報として収集し、視線パターン選択手段は、視線情報収集手段が収集した視線情報と類似するパターンを予め定められている複数のパターンの中から視線パターンとして選択する。画面再配置手段は、視線パターン選択手段が選択した視線パターンに基づいて、表示エリアにおける複数の画面に含まれる要素の配置を変更したり、表示エリアにおける複数の画面の配置を変更したりする。
【００１２】
例えば、一例として、予め定められている複数のパターンの中から収集された視線情報のパターンと類似するパターンを視線パターンとして複数の画面毎に選択する。そして、この選択した複数の画面毎の視線パターンの中の１つを基本パターンとして決定し、複数の画面毎の視線パターンが全て決定された基本パターンとなるように、表示エリアにおける複数の画面に含まれる要素の配置を変更する。
【００１３】
例えば、別の例として、表示エリア内における視線の位置とその視線の位置が動いた順番を示す情報を視線情報として収集し、予め定められている複数のパターンの中から収集された視線情報のパターンと類似するパターンを視線パターンとして複数の画面毎および表示エリアの全体について選択する。そして、この選択した複数の画面毎および表示エリアの全体の視線パターンの中の１つを基本パターンとして決定し、複数の画面毎の視線パターンおよび表示エリアの全体の視線パターンが全て決定された基本パターンとなるように、表示エリアにおける複数の画面に含まれる要素の配置および表示エリアにおける複数の画面の配置を変更する。
【００１４】
このようにすることにより、表示エリアにおける複数の画面の視線パターンを全て同じとしたり、表示エリアにおける複数の画面の視線パターンと表示エリア全体の視線パターンとを全て同じとしたりするなどして、複雑なモデルを用いることなく、低コストで、表示エリアにおける複数の画面に含まれる要素の配置や表示エリアにおける複数の画面の配置を最適化することが可能となる。
【００１５】
なお、上記説明では、一例として、発明の構成要素に対応する図面上の構成要素を、括弧を付した参照符号によって示している。
【発明の効果】
【００１６】
以上説明したことにより、本発明によれば、複数の画面を閲覧・操作するオペレータの表示エリア内における視線の位置を示す情報を視線情報として収集し、この収集した視線情報に基づいて表示エリアにおける複数の画面に含まれる要素の配置および表示エリアにおける複数の画面の配置の少なくとも一方を変更するようにしたので、複雑なモデルを用いることなく、低コストで、表示エリアにおける複数の画面に含まれる要素の配置や表示エリアにおける複数の画面の配置を最適化することが可能となる。
【図面の簡単な説明】
【００１７】
【図１】図１は、本発明の実施の形態に係る画面表示制御装置のハードウェア構成の概略を示す図である。
【図２】図２は、実施の形態１の画面表示制御装置の要部の機能ブロック図である。
【図３】図３は、実施の形態１の画面表示制御装置のパターン記憶部に記憶されている視線情報に関するパターンの一例を示す図である。
【図４】図４は、実施の形態１の運転画面Ｇ１〜Ｇ４における視線情報Ｐ（ｘ，ｙ）と相関性の強いパターンを示す図である。
【図５】図５は、実施の形態１の運転画面Ｇ１〜Ｇ４における視線情報Ｐ（ｘ，ｙ）と類似するパターンとして選択された視線パターンおよびこの選択された視線パターンから決定された基本パターン（パターンＡ）を示す図である。
【図６】図６は、実施の形態１の画面Ｇ１〜Ｇ４の視線パターンが全て基本パターン（パターンＡ）とされた状態を示す図である。
【図７】図７は、実施の形態１の運転画面Ｇ１〜Ｇ４における視線情報Ｐ（ｘ，ｙ）と類似するパターンとして選択された視線パターンおよびこの選択された視線パターンから決定された基本パターン（パターンＣ）を示す図である。
【図８】図８は、実施の形態１の運転画面Ｇ１〜Ｇ４の視線パターンが全て基本パターン（パターンＣ）とされた状態を示す図である。
【図９】図９は、視線パターンが近いもの同士を近接するように画面の配置を変更するようにした例を示す図である。
【図１０】図１０は、実施の形態２の画面表示制御装置の要部の機能ブロック図である。
【図１１】図１１は、実施の形態２の画面表示制御装置のパターン記憶部に記憶されている視線情報に関するパターンの一例を示す図である。
【図１２】図１２は、実施の形態２の運転画面Ｇ１〜Ｇ４および表示エリアＡＲの全体における視線情報Ｐ（ｘ，ｙ，ｔ）と相関性の強いパターンを示す図である。
【図１３】図１３は、実施の形態２の運転画面Ｇ１〜Ｇ４および表示エリアＡＲの全体における視線情報Ｐ（ｘ，ｙ，ｔ）と類似するパターンとして選択された視線パターンおよびこの選択された視線パターンから決定された基本パターン（パターンＡ’）を示す図である。
【図１４】図１４は、実施の形態２の画面表示制御装置における画面の再配置例（例１）を示す図である。
【図１５】図１５は、実施の形態２の画面表示制御装置における画面の再配置例（例２）を示す図である。
【図１６】図１６は、実施の形態３の画面表示制御装置の要部の機能ブロック図である。
【図１７】図１７は、実施の形態３の運転画面Ｇ１〜Ｇ４および表示エリアＡＲの全体における視線情報Ｐ（ｘ，ｙ，ｔ）と相関性の強いパターンを示す図である。
【図１８】図１８は、実施の形態３の運転画面Ｇ１〜Ｇ４および表示エリアＡＲの全体における視線情報Ｐ（ｘ，ｙ，ｔ）と類似するパターンとして選択された視線パターンおよびこの選択された視線パターンから決定された基本パターン（パターンＤ’）を示す図である。
【図１９】図１９は、実施の形態３の画面表示制御装置における画面の再配置例を示す図である。
【図２０】図２０は、１つの表示エリア内に複数の運転画面を並べて表示させた例を示す図である。
【発明を実施するための形態】
【００１８】
以下、本発明の実施の形態を図面に基づいて詳細に説明する。図１に本発明の実施の形態に係る画面表示制御装置１００のハードウェア構成の概略を示す。
【００１９】
この画面表示制御装置１００は、中央演算処理装置（ＣＰＵ）１０１と、ランダムアクセスメモリ（ＲＡＭ）１０２と、読み出し専用メモリ（ＲＯＭ）１０３と、ハードディスクなどの記憶装置１０４と、各種インタフェース１０５〜１０８とを備えたコンピュータからなり、周辺機器として、モニタ１０９やキーボード１１０、マウス１１１、視線追跡装置（撮像部）１１２などを備えている。視線追跡装置１１２については後述する。
【００２０】
なお、本実施の形態において、コンピュータとは、デスクトップ型コンピュータ、ノートブック型コンピュータ、タブレット端末、スマートフォンなどの様々なコンピュータを意味する。また、モニタ１０９としては、ＬＣＤ（Liquid Crystal Display）、ＣＲＴ（Cathode Ray Tube）、あるいは、その他の表示装置が用いられていてもよい。また、マウス１１１の代わりに、タッチパネル、タッチパッド、トラックボール、ペンタブレット、あるいは、その他のポインティングデバイスが用いられていてもよい。
【００２１】
この画面表示制御装置１００には、本実施の形態特有のプログラムとして、画面表示制御プログラムＰＧ１がインストールされている。この画面表示制御プログラムＰＧ１は、例えばＣＤ−ＲＯＭなどの記録媒体に記録された状態で提供され、この記録媒体から読み出されて記憶装置１０４に記録され、使用可能な状態として画面表示制御装置１００にインストールされている。
【００２２】
この画面表示制御装置１００において、ＣＰＵ１０１は、インタフェース１０５〜１０８を介して与えられる各種入力情報を処理することで、ＲＡＭ１０２やＲＯＭ１０３、記憶装置１０４にアクセスしながら、画面表示制御装置１００にインストールされている画面表示制御プログラムＰＧ１に従って動作する。ＣＰＵ１０１には、プラント（図示せず）において収集された監視情報などがインタフェース１０５を介して入力される。また、ＣＰＵ１０１からの操作情報などが、インタフェース１０５を介してプラントへ送られる。
【００２３】
〔実施の形態１〕
図２に、実施の形態１の画面表示制御装置１００（１００Ａ）の要部の機能ブロック図を示す。この画面表示制御装置１００Ａは、ＣＰＵ１０１の処理機能として、画面表示制御部１（１Ａ）を備えている。画面表示制御部１Ａは、視線情報収集部２と、視線パターン選択部３と、画面再配置部４とを備えている。また、記憶装置１０４には、パターン記憶部５が設けられている。
【００２４】
この画面表示制御装置１００Ａにおいて、モニタ１０９には、運転画面Ｇ１〜Ｇ４（画面１〜４）が並べて表示される。すなわち、モニタ１０９の画面を１つの表示エリアＡＲとし、この表示エリアＡＲ内に運転画面Ｇ１〜Ｇ４がウィンドウ（領域）として並べて表示される。なお、１つのモニタではなく、別々のモニタに運転画面Ｇ１〜Ｇ４を表示させるようにしてもよい。
【００２５】
この画面表示制御装置１００Ａにおいて、視線追跡装置１１２は、表示エリアＡＲ全体を画像として捉え、運転画面Ｇ１〜Ｇ４を閲覧・操作するオペレータの表示エリアＡＲ内における視線の位置（画面上の座標）を検知する。
【００２６】
画面表示制御部１Ａにおいて、視線情報収集部２は、視線追跡装置１１２が検知した視線の位置を示す情報を視線情報Ｐ（ｘ，ｙ）として収集する。本実施の形態において、視線情報Ｐ（ｘ，ｙ）は、運転画面Ｇ１〜Ｇ４を閲覧・操作する複数のオペレータの視線情報Ｐ（ｘ，ｙ）として収集される。
【００２７】
また、この画面表示制御装置１００Ａにおいて、パターン記憶部５には視線情報Ｐ（ｘ，ｙ）に関するパターンとして予め定められた複数のパターンが記憶されている。図３にパターン記憶部５に記憶されているパターンの一例を示す。この例では、視線情報Ｐ（ｘ，ｙ）に関するパターンとして、パターンＡ〜Ｆが記憶されている。
【００２８】
画面表示制御部１Ａにおいて、視線パターン選択部３は、パターン記憶部５に記憶されている複数のパターンの中から視線情報収集部２によって収集された視線情報Ｐ（ｘ，ｙ）と類似するパターンを視線パターンとして運転画面Ｇ１〜Ｇ４毎に選択する。
【００２９】
この実施の形態において、視線パターン選択部３は、視線情報収集部２によって収集された視線情報Ｐ（ｘ，ｙ）を統計的に処理し、運転画面Ｇ１〜Ｇ４のそれぞれについてパターン記憶部５に記憶されている複数のパターンとの相関性を計算し、相関関係の強いパターンを類似するパターン（視線パターン）として抽出する。
【００３０】
なお、この例では、図４に示すように、運転画面Ｇ１における視線情報Ｐ（ｘ，ｙ）はパターンＡと相関性が強く、運転画面Ｇ２における視線情報Ｐ（ｘ，ｙ）はパターンＣと相関性が強く、運転画面Ｇ３における視線情報Ｐ（ｘ，ｙ）はパターンＢと相関性が強く、運転画面Ｇ４における視線情報Ｐ（ｘ，ｙ）はパターンＡと相関性が強いものとする。
【００３１】
この場合、視線パターン選択部３は、運転画面Ｇ１の視線パターンとしてパターンＡを選択し、運転画面Ｇ２の視線パターンとしてパターンＣを選択し、運転画面Ｇ３の視線パターンとしてパターンＢを選択し、運転画面Ｇ４の視線パターンとしてパターンＡを選択する（図５（ａ）参照）。
【００３２】
視線パターン選択部３は、選択した視線パターンを画面再配置部４へ送る。画面再配置部４は、基本パターン決定部４１と、画面再配置処理部４２とを備えている。視線パターン選択部３からの運転画面Ｇ１〜Ｇ４の視線パターンは、基本パターン決定部４１および画面再配置処理部４２へ送られる。
【００３３】
基本パターン決定部４１は、視線パターン選択部３からの運転画面Ｇ１〜Ｇ４の視線パターンの中からその数が最も多い視線パターンを基本パターンとして決定し、この決定した基本パターンを画面再配置処理部４２へ送る。
【００３４】
この例では、運転画面Ｇ１，Ｇ４の視線パターンがパターンＡとされ、運転画面Ｇ２の視線パターンがパターンＣ、運転画面Ｇ３の視線パターンがパターンＢとされているので、その数が最も多い視線パターンとしてパターンＡが基本パターンとして決定され（図５（ｂ）参照）、この決定された基本パターン（パターンＡ）が画面再配置処理部４２へ送られる。
【００３５】
画面再配置処理部４２は、基本パターン決定部４１からの基本パターンと、視線パターン選択部３からの運転画面Ｇ１〜Ｇ４の視線パターンとを受けて、運転画面Ｇ１〜Ｇ４の視線パターンが全て基本パターン決定部４１で決定された基本パターンとなるように、表示エリアＡＲにおける運転画面Ｇ１〜Ｇ４に含まれる要素の配置を変更する。この例では、運転画面Ｇ１，Ｇ４の視線パターンは基本パターンとなっているので、基本パターンとは異なる視線パターンの画面として運転画面Ｇ２，Ｇ３に含まれる要素の配置を変更する。
【００３６】
これにより、画面Ｇ１，Ｇ２，Ｇ３，Ｇ４の視線パターンが全て基本パターン決定部４１で決定された基本パターン（パターンＡ）となり（図６参照）、複雑なモデルを用いることなく、低コストで、表示エリアＡＲにおける画面Ｇ１〜Ｇ４に含まれる要素の配置を最適化することが可能となる。
【００３７】
なお、上述した例では、基本パターン決定部４１において、視線パターン選択部３からの運転画面Ｇ１〜Ｇ４の視線パターンの中からその数が最も多い視線パターンを基本パターンとして決定するようにしたが、運転画面Ｇ１〜Ｇ４の視線パターンの中の任意の１つを基本パターンとして決定するようにしてもよい。
【００３８】
例えば、運転画面Ｇ１〜Ｇ４の視線パターンの中の任意の１つとして、運転画面Ｇ２の視線パターン（パターンＣ）を基本パターンとして決定する（図７（ａ），（ｂ）参照）。この場合、画面再配置処理部４２は、基本パターン決定部４１で決定されたパターンＣとなるように、基本パターンとは異なる視線パターンの画面として運転画面Ｇ１，Ｇ３，Ｇ４に含まれる要素の配置を変更する。
【００３９】
これにより、画面Ｇ１，Ｇ２，Ｇ３，Ｇ４の視線パターンが全て基本パターン決定部４１で決定された基本パターン（パターンＣ）となり（図８参照）、複雑なモデルを用いることなく、低コストで、表示エリアＡＲにおける画面Ｇ１〜Ｇ４に含まれる要素の配置を最適化することが可能となる。
【００４０】
なお、図５や図７に示した例では、運転画面Ｇ１〜Ｇ４の全てに類似する視線パターンが存在するものとしたが、類似する視線パターンが存在しない場合もあり得る。類似する視線パターンが存在しない場合、その画面の視線パターンを基本パターンに変更することは難しいので、類似する視線パターンが存在しない画面については画面再配置処理部４２での処理対象から除外するものとする。
【００４１】
また、この実施の形態では、基本パターンとなるように基本パターンとは異なる視線パターンの運転画面に含まれる要素の配置を変更するようにしたが、視線パターンが近いもの同士を近接するように運転画面の配置を変更するようにしてもよい。例えば、図９（ａ）に示すように、運転画面Ｇ１，Ｇ４の視線パターンがパターンＡ、運転画面Ｇ２，Ｇ３の視線パターンがパターンＣであった場合、図９（ｂ）に示すように運転画面Ｇ２とＧ４とを入れ替える。これにより、表示エリアＡＲの上段の運転画面Ｇ１，Ｇ４においてパターンＡが横並びとなり、表示エリアＡＲの下段の運転画面Ｇ３，Ｇ２においてパターンＣが横並びとなり、オペレータの閲覧・操作がし易くなる。
【００４２】
〔実施の形態２〕  
図１０に、実施の形態２の画面表示制御装置１００（１００Ｂ）の要部の機能ブロック図を示す。同図において、図２と同一符号は図２を参照して説明した構成要素と同一或いは同等の構成要素を示す。
【００４３】
この画面表示制御装置１００Ｂにおいて、視線追跡装置１１２は、運転画面Ｇ１〜Ｇ４を閲覧・操作するオペレータの表示エリアＡＲ内における視線の位置（画面上の座標）とその視線の位置が動いた順番を検知する。
【００４４】
また、画面表示制御部１（１Ｂ）において、視線情報収集部２は、視線追跡装置１１２が検知した視線の位置とその視線の位置が動いた順番（視線の流れ）を示す情報を視線情報Ｐ（ｘ，ｙ，ｔ）として収集する。本実施の形態において、視線情報Ｐ（ｘ，ｙ，ｔ）は、運転画面Ｇ１〜Ｇ４を閲覧・操作する複数のオペレータの視線情報Ｐ（ｘ，ｙ，ｔ）として収集される。
【００４５】
また、この画面表示制御装置１００Ｂにおいて、パターン記憶部５には視線情報Ｐ（ｘ，ｙ，ｔ）に関するパターンとして予め定められた複数のパターンが記憶されている。図１１にパターン記憶部５に記憶されているパターンの一例を示す。この例では、視線情報Ｐ（ｘ，ｙ，ｔ）に関するパターンとして、パターンＡ’〜Ｆ’が記憶されている。このパターンＡ’〜Ｆ’には視線の流れを示す情報が付加されている。
【００４６】
画面表示制御部１Ｂにおいて、視線パターン選択部３は、パターン記憶部５に記憶されている複数のパターンの中から視線情報収集部２によって収集された視線情報Ｐ（ｘ，ｙ，ｔ）と類似するパターンを視線パターンとして運転画面Ｇ１〜Ｇ４毎および表示エリアＡＲの全体について選択する。
【００４７】
この実施の形態において、視線パターン選択部３は、視線情報収集部２によって収集された視線情報Ｐ（ｘ，ｙ，ｔ）を統計的に処理し、運転画面Ｇ１〜Ｇ４のそれぞれおよび表示エリアＡＲの全体についてパターン記憶部５に記憶されている複数のパターンとの相関性を計算し、相関関係の強いパターンを類似するパターン（視線パターン）として抽出する。
【００４８】
なお、この例では、図１２に示すように、運転画面Ｇ１，Ｇ２，Ｇ３，Ｇ４における視線情報Ｐ（ｘ，ｙ，ｔ）はパターンＡ’と相関性が強く、表示エリアＡＲの全体における視線情報Ｐ（ｘ，ｙ，ｔ）はパターンＦ’と相関性が強いものとする。
【００４９】
この場合、視線パターン選択部３は、運転画面Ｇ１，Ｇ２，Ｇ３，Ｇ４の視線パターンとしてパターンＡ’を選択し、表示エリアＡＲの全体の視線パターンとしてパターンＦ’を選択する（図１３（ａ）参照）。
【００５０】
視線パターン選択部３は、選択した視線パターンを画面再配置部４へ送る。画面再配置部４は、基本パターン決定部４１と、画面再配置処理部４２とを備えている。視線パターン選択部３からの運転画面Ｇ１〜Ｇ４の視線パターンおよび表示エリアＡＲの全体の視線パターンは、基本パターン決定部４１および画面再配置処理部４２へ送られる。
【００５１】
基本パターン決定部４１は、視線パターン選択部３からの運転画面Ｇ１〜Ｇ４の視線パターンおよび表示エリアＡＲの全体の視線パターンの中からその数が最も多い視線パターンを基本パターンとして決定し、この決定した基本パターンを画面再配置処理部４２へ送る。
【００５２】
この例では、運転画面Ｇ１，Ｇ２，Ｇ３，Ｇ４の視線パターンがパターンＡ’とされ、表示エリアＡＲの全体の視線パターンがパターンＦ’とされているので、その数が最も多い視線パターンとしてパターンＡ’が基本パターンとして決定され（図１３（ｂ）参照）、この決定された基本パターンが画面再配置処理部４２へ送られる。
【００５３】
画面再配置処理部４２は、基本パターン決定部４１からの基本パターンと、視線パターン選択部３からの運転画面Ｇ１〜Ｇ４の視線パターンおよび表示エリアＡＲの全体の視線パターンとを受けて、運転画面Ｇ１〜Ｇ４の視線パターンおよび表示エリアＡＲの全体の視線パターンの全てが基本パターン決定部４１で決定された基本パターンとなるように、表示エリアＡＲにおける運転画面Ｇ１〜Ｇ４に含まれる要素の配置および表示エリアＡＲにおける画面の配置を変更する。
【００５４】
この例において、画面再配置処理部４２で処理動作が行われる前は、図１４（ａ）に示すように、運転画面Ｇ１〜Ｇ４の視線パターンはパターンＡ’とされ、表示エリアＡＲの全体の視線パターンはパターンＦ’とされている。また、表示エリアＡＲの全体の視線パターンＦ’において、視線は運転画面Ｇ１内の視線領域Ｓ１、運転画面Ｇ４内の視線領域Ｓ２、運転画面Ｇ２内の視線領域Ｓ３、運転画面Ｇ３内の視線領域Ｓ４の順に動いている。
【００５５】
このため、画面再配置処理部４２は、図１４（ｂ）に示すように、運転画面Ｇ１〜Ｇ４内の視線パターンは変更せずに、運転画面Ｇ２をＧ４と入れ替え、運転画面Ｇ３をＧ２と入れ替え、運転画面Ｇ４をＧ３と入れ替え、画面Ｇ１，Ｇ２，Ｇ３，Ｇ４内の視線領域Ｓ１，Ｓ３，Ｓ４，Ｓ２に含まれる要素を画面Ｇ１，Ｇ２，Ｇ３，Ｇ４内の視線領域Ｓ１’，Ｓ３’，Ｓ４’，Ｓ２’に移すことによって、表示エリアＡＲの全体の視線パターンをパターンＦ’からパターンＡ’に変更する。
【００５６】
これにより、運転画面Ｇ１，Ｇ２，Ｇ３，Ｇ４の視線パターンと表示エリアＡＲの全体の視線パターンとが全て基本パターン決定部４１で決定された基本パターン（パターンＡ’）となり、複雑なモデルを用いることなく、低コストで、表示エリアＡＲにおける運転画面Ｇ１〜Ｇ４に含まれる要素の配置および表示エリアＡＲにおける画面Ｇ１〜Ｇ４の配置を最適化することが可能となる。
【００５７】
なお、図１４に示した例では、表示エリアＡＲにおける運転画面Ｇ１〜Ｇ４の配置を変更するようにしたが、表示エリアＡＲにおける運転画面Ｇ１〜Ｇ４の配置はそのままとし、表示エリアＡＲにおける運転画面Ｇ１〜Ｇ４に含まれる要素の配置だけを変更するようにしてもよい。
【００５８】
この場合、画面再配置処理部４２は、図１５（ｂ）に示すように、運転画面Ｇ１〜Ｇ４内の視線パターンは変更せずに、画面Ｇ１内の視線領域Ｓ１に含まれる要素を画面Ｇ１内の視線領域Ｓ１’に移し、画面Ｇ４内の視線領域Ｓ２に含まれる要素を画面Ｇ２内の視線領域Ｓ２’へ移し、画面Ｇ２内の視線領域Ｓ３に含まれる要素を画面Ｇ３内の視線領域Ｓ３’へ移し、画面Ｇ３内の視線領域Ｓ４に含まれる要素を画面Ｇ４内の視線領域Ｓ４’へ移すことによって、表示エリアＡＲの全体の視線パターンをパターンＦ’からパターンＡ’に変更する。
【００５９】
これにより、運転画面Ｇ１，Ｇ２，Ｇ３，Ｇ４の視線パターンと表示エリアＡＲの全体の視線パターンとが全て基本パターン決定部４１で決定された基本パターン（パターンＡ’）となり、複雑なモデルを用いることなく、低コストで、表示エリアＡＲにおける画面Ｇ１〜Ｇ４に含まれる要素の配置を最適化することが可能となる。
【００６０】
〔実施の形態３〕  
図１６に、実施の形態３の画面表示制御装置１００（１００Ｃ）の要部の機能ブロック図を示す。同図において、図１０と同一符号は図１０を参照して説明した構成要素と同一或いは同等の構成要素を示す。
【００６１】
この画面表示制御装置１００Ｃにおいて、画面表示制御部１（１Ｃ）には、視線情報収集部２と、視線パターン選択部３と、画面再配置部４と、操作情報収集部６とが設けられている。すなわち、図１０に示した画面表示制御装置１００Ｃの構成に加え、操作情報収集部６を設けている。
【００６２】
操作情報収集部６は、画面Ｇ１〜Ｇ４を閲覧・操作するオペレータの表示エリアＡＲ内において操作した位置を示す情報を操作情報として収集し、収集した操作情報を画面再配置部４内の画面再配置処理部４２へ送る。
【００６３】
画面表示制御部１Ｃにおいて、視線パターン選択部３は、パターン記憶部５に記憶されている複数のパターンの中から視線情報収集部２によって収集された視線情報Ｐ（ｘ，ｙ，ｔ）と類似するパターンを視線パターンとして運転画面Ｇ１〜Ｇ４毎および表示エリアＡＲの全体について選択する。
【００６４】
なお、この例では、図１７に示すように、運転画面Ｇ１における視線情報Ｐ（ｘ，ｙ，ｔ）はパターンＤ’と相関性が強く、表示エリアＡＲの全体における視線情報Ｐ（ｘ，ｙ，ｔ）はパターンＥ’と相関性が強いものとする。また、運転画面Ｇ２〜Ｇ４には相関性の強いパターンは存在しないものとする。
【００６５】
この場合、視線パターン選択部３は、運転画面Ｇ１の視線パターンとしてパターンＤ’を選択し、表示エリアＡＲの全体の視線パターンとしてパターンＥ’を選択する（図１８（ａ）参照）。なお、図１８（ａ）中、「×」印は操作情報を示す。この例では、画面Ｇ１では視線の密度が大きく（他の画面よりも頻繁に見ている）、画面Ｇ２，Ｇ３ではパターンに方向性があり（連続的に見ている）、画面Ｇ４では操作が集中している。
【００６６】
視線パターン選択部３は、選択した視線パターンを画面再配置部４へ送る。画面再配置部４は、基本パターン決定部４１と、画面再配置処理部４２とを備えている。視線パターン選択部３からの運転画面Ｇ１の視線パターンおよび表示エリアＡＲの全体の視線パターンは、基本パターン決定部４１および画面再配置処理部４２へ送られる。
【００６７】
基本パターン決定部４１は、視線パターン選択部３からの運転画面Ｇ１の視線パターンおよび表示エリアＡＲの全体の視線パターンの中から基本パターンを決定し、この決定した基本パターンを画面再配置処理部４２に送る。この例では、運転画面Ｇ１の視線パターンＤ’を基本パターンとして決定し（図１８（ｂ）参照）、この決定した基本パターン（パターンＤ’）を画面再配置処理部４２に送るものとする。
【００６８】
画面再配置処理部４２は、基本パターン決定部４１からの基本パターンと、視線パターン選択部３からの運転画面Ｇ１の視線パターンおよび表示エリアＡＲの全体の視線パターンと、操作情報収集部６からの操作情報とに基づいて、表示エリアＡＲにおける画面Ｇ１〜Ｇ４の配置、表示エリアＡＲにおける画面Ｇ１〜Ｇ４に含まれる要素の配置および表示エリアＡＲにおける画面Ｇ１〜Ｇ４のサイズを変更する。
【００６９】
この例では、図１９に示すように、頻繁に見る画面Ｇ１を１つの拡大した画面とし、連続的に監視している画面Ｇ２，Ｇ３，Ｇ４を別の１画面に再構成し、画面Ｇ２，Ｇ３を横並びとし、縦方向に広げる。また、操作領域が集中している画面Ｇ４に、画面Ｇ２，Ｇ３の操作領域をまとめ、画面Ｇ２，Ｇ３の下側に配置する。また、画面Ｇ２，Ｇ３，Ｇ４として再構成された１画面に含まれる要素の配置を変更することによって、その１画面内の視線パターンをパターンＤ’に揃える。
【００７０】
なお、図１９に示した例において、２つのモニタ（第１のモニタ、第２のモニタ）を設け、第１のモニタに画面Ｇ１を表示するものとし、第２のモニタに１画面に再構成された画面Ｇ２，Ｇ３，Ｇ４を表示するものとしてもよい。この場合、表示エリアＡＲは、第１のモニタの表示画面と第２のモニタの表示画面とを含む領域とされる。
【００７１】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【００７２】
また、プラント運転に使う画面相互の呼出し順序などに本発明を応用（拡張）することにより、運転画面の再構成を行い、プラントシステム更新の際、承継すべき運転画面の枚数を減らすことも可能となり、エンジニアリング・コストを抑えることも可能である。
【００７３】
また、プラント画面を使った運転時の視線の流れや、操作のタイミングなどを情報化することで、熟練オペレータと新人オペレータとの視線、操作のタイミングなどを比較し、視線と、操作タイミングの違いを見つけ、熟練オペレータの技術を新人オペレータへの教育に使うことも可能である。
【００７４】
また、同一の運転画面であっても、人によっては、または、プラントの状態によっては、操作する時の視線情報が大きく異なる画面を抽出し、プラントの運転効率、装置の改良、改善につなげることも可能である。
【符号の説明】
【００７５】
１（１Ａ〜１Ｃ）…画面表示制御部、２…視線情報収集部、３…視線パターン選択部、４…画面再配置部、５…パターン記憶部、６…操作情報収集部、４１…基本パターン決定部、４２…画面再配置処理部、１００（１００Ａ〜１００Ｃ）…画面表示制御装置、１０１…ＣＰＵ、１０２…ＲＡＭ、１０３…ＲＯＭ、１０４…記憶装置、１０５〜１０８…インタフェース、１０９…モニタ、１１０…キーボード、１１１…マウス、１１２…画面追跡装置、Ｇ１〜Ｇ４…運転画面、ＡＲ…表示エリア。
【図１】
2018077694.tif 000003
【図２】
2018077694.tif 000004
【図３】
2018077694.tif 000005
【図４】
2018077694.tif 000006
【図５】
2018077694.tif 000007
【図６】
2018077694.tif 000008
【図７】
2018077694.tif 000009
【図８】
2018077694.tif 000010
【図９】
2018077694.tif 000011
【図１０】
2018077694.tif 000012
【図１１】
2018077694.tif 000013
【図１２】
2018077694.tif 000014
【図１３】
2018077694.tif 000015
【図１４】
2018077694.tif 000016
【図１５】
2018077694.tif 000017
【図１６】
2018077694.tif 000018
【図１７】
2018077694.tif 000019
【図１８】
2018077694.tif 000020
【図１９】
2018077694.tif 000021
【図２０】
2018077694.tif 000022